(57)【要約】      （修正有）【課題】第１透明体上に第２透明体を配設した透明積層体において、第１透明体の所定の位置に第２透明体が配設されているか否かを高精度に検査する。【解決手段】第１透明体と、前記第１透明体の一方側面上に第２透明体が配設されてなる透明積層体において、撮像手段で前記第２透明体側の略直上から略直下に向けて前記透明積層体の外周端部を撮像する撮像工程と、前記撮像工程で撮像された画像の明／暗の違いを元にして、前記第１透明体の面取り部分および第２透明体の傾斜部分の領域を識別し、このそれぞれの領域が識別された場合には第１透明体の所定位置に第２透明体が配設されていると判断し、またこのそれぞれの領域が識別されない場合には第１透明体の所定位置に第２透明体が配設されていないと判断する識別工程を有する。【選択図】図１
2011237223.tif 000002
【特許請求の範囲】
【請求項１】
板状形態であり一方面の外周端部に面取り部分を有する第１透明体と、前記第１透明体の一方面上に、板状形態であり外周端部に傾斜部分を有する第２透明体が配設されてなる透明積層体において、前記第１透明体の所定位置に第２透明体が配設されているか否かを検査する透明積層体の検査方法であって、
前記透明積層体の検査方法は、
撮像手段で前記第２透明体側の略直上から略直下に向けて前記透明積層体の外周端部を撮像する撮像工程と、
前記撮像工程で撮像された画像の明／暗の違いを元にして、前記第１透明体の面取り部分および第２透明体の傾斜部分の領域を識別し、このそれぞれの領域が識別された場合には第１透明体の所定位置に第２透明体が配設されていると判断し、またこのそれぞれの領域が識別されない場合には第１透明体の所定位置に第２透明体が配設されていないと判断する識別工程と、
を少なくとも有することを特徴とする透明積層体の検査方法。
【請求項２】
前記識別工程において、
前記第１透明体の面取り部分および第２透明体の傾斜部分の領域が識別された場合、
さらにそれぞれの領域の位置を元にして、前記第１透明体の外周端部から前記第２透明体の外周端部の位置までの距離を算出し、この距離が予め定められた所定の閾値内にあるとき、前記第１透明体の所定位置に第２透明体が配設されていると判断することを特徴とする請求項１に記載の透明積層体の検査方法。
【請求項３】
前記透明積層体を垂直方向から視認した際において、
前記第１透明体の面取り部分の水平方向の距離が、２０μｍ以上であることを特徴とする請求項１または２に記載の透明積層体の検査方法。
【請求項４】
前記面取り部分が、直線状の角面取りであることを特徴とする請求項１から３のいずれかに記載の透明積層体の検査方法。
【請求項５】
前記透明積層体を垂直方向から視認した際において、
前記第２透明体の傾斜部分の水平方向の距離が、２０μｍ以上であることを特徴とする請求項１から４のいずれかに記載の透明積層体の検査方法。
【請求項６】
前記第２透明体の外周端部に形成された傾斜部分が、前記第２透明体をレーザーでカットして形成された切断面であることを特徴とする請求項１から５のいずれかに記載の透明積層体の検査方法。
【請求項７】
前記第１透明体の５５０〜６００ｎｍの波長帯域における分光反射率が、１５％以下であることを特徴とする請求項１から６のいずれかに記載の透明積層体の検査方法。
【請求項８】
前記第２透明体の５５０〜６００ｎｍの波長帯域における分光反射率が、１０％以下であることを特徴とする請求項１から７のいずれかに記載の透明積層体の検査方法。
【請求項９】
前記第１透明体が透明基板であり、
前記第２透明体が反射防止シートであり、
前記透明積層体が、電子機器の表示窓パネルであって、
前記表示窓パネルは、前記透明基板の一方側面に粘着材を介して前記反射防止シートが貼着されてなることを特徴とする請求項１から８のいずれかに記載の透明積層体の検査方法。
【請求項１０】
請求項１から９のいずれかに記載の透明積層体の検査方法によって、第１透明体に対する第２透明体の配設位置の検査がなされてなることを特徴とする透明積層体。
【発明の詳細な説明】
【技術分野】
【０００１】
本発明は、例えば電子機器の表示窓パネルのように、第１透明体の一方側面に第２透明体を配設してなる透明積層体において、第１透明体の所定の位置に第２透明体が配設されているか否かを検査する検査方法、およびこの検査方法を用いてなる透明積層体に関する。
【背景技術】
【０００２】
従来より、フラットパネルディスプレイ，デジタルカメラ，デジタルビデオカメラ，携帯電話，携帯用ゲーム機に代表される電子機器などにおいて、その表示部分に反射防止処理がなされた表示窓パネルを配設することで、表示部分を良好に保護しつつ、視認性も良好に維持できるようにしている。
【０００３】
このような表示窓パネル１００は、例えば図４に示したように、高透明性を有する透明基板（第１透明体）１１０を成形機で成形しておき、この透明基板１１０の一方側面に、粘着材を介して反射防止シート（第２透明体）１２０を貼着してなるものが広く用いられている。
【０００４】
また、透明基板の一方側面と他方側面の両面に、ディップ（浸漬）成形法で反射防止層を設けることで、反射防止効果を高めた表示窓パネルも用いられている。
【０００５】
さらに透明基板の一方側面と他方側面にそれぞれ異なる光学特性を有する反射防止シートを貼着した表示窓パネル（特許文献１）、また透明基板の一方側面に反射防止効果を有するモスアイ構造のパターンを予め形成しておき、他方側面にはモスアイ構造のパターンとは異なる光学特性を有する反射防止シートを貼着した表示窓パネル（特許文献２）も、本出願人によって既に開発されている。
【０００６】
ところで、ディップ（浸漬）成形法を用いて製造された表示窓パネル以外の表示窓パネル１００において、透明基板１１０上に反射防止シート１２０を貼着する際には、図５に示したように、まず透明基板１１０上にこれよりも一回り大きな反射防止シート１２０を貼着し、この後、レーザー１３０を用いて反射防止シート１２０を所定の位置でカットするようにしている。反射防止シート１２０の切断面は傾斜面となり、この傾斜具合はレーザーの照射角度などで調整可能である。図５の符号１２２は傾斜部分である。
【０００７】
なお、透明基板１１０の外周縁部稜線１１２の位置よりも内側に反射防止シート１２０の端部が位置するよう、カット時の位置設定がなされている。
【０００８】
しかしながら、反射防止シート１２０のカット位置が、何らかの要因でズレが生じてしまった場合には、例えば図６に示したように、透明基板１１０の外周縁部稜線１１２の上に反射防止シート１２０の傾斜部分１２２の端部が張り出した状態（オーバーハングの状態）で貼着されてしまうことがある。
【０００９】
このような表示窓パネル１００は、反射防止シート１２０のオーバーハング箇所１２４に物が引っ掛かってしまい反射防止シートの剥離を引き起したり、この部分に接触して怪我をしてしまう虞が有るため、不良品として扱われている。
【先行技術文献】
【特許文献】
【００１０】
【特許文献１】特願２０１０−０２８９８１号
【特許文献２】特願２０１０−０２８９８２号
【発明の概要】
【発明が解決しようとする課題】
【００１１】
表示窓パネルにおけるオーバーハング有無の検査は、表示窓パネルを目視するなどして行われているが、表示窓パネルが透明であるために不良箇所が見えづらく、不良品を見落とす虞が有るため、更なる検査精度の向上が求められているのが実情である。
【００１２】
本発明はこのような現状に鑑み、少なくとも第１透明体上に第２透明体を配設した透明積層体において、第１透明体の所定の位置に第２透明体が配設されているか否かを高精度に検査することのできる透明積層体の検査方法およびこの検査方法が用いられてなる透明積層体を提供することを目的とする。
【課題を解決するための手段】
【００１３】
本発明は、前述したような従来技術における課題および目的を達成するために発明されたものであって、
本発明の透明積層体の検査方法は、
板状形態であり一方面の外周端部に面取り部分を有する第１透明体と、前記第１透明体の一方面上に、板状形態であり外周端部に傾斜部分を有する第２透明体が配設されてなる透明積層体において、前記第１透明体の所定位置に第２透明体が配設されているか否かを検査する透明積層体の検査方法であって、
前記透明積層体の検査方法は、
撮像手段で前記第２透明体側の略直上から略直下に向けて前記透明積層体の外周端部を撮像する撮像工程と、
前記撮像工程で撮像された画像の明／暗の違いを元にして、前記第１透明体の面取り部分および第２透明体の傾斜部分の領域を識別し、このそれぞれの領域が識別された場合には第１透明体の所定位置に第２透明体が配設されていると判断し、またこのそれぞれの領域が識別されない場合には第１透明体の所定位置に第２透明体が配設されていないと判断する識別工程と、
を少なくとも有することを特徴とする。
【００１４】
このような検査方法であれば、第１透明体の面取り部分が他の平坦な部分よりも戻り光が少ない暗部として領域を識別でき、また第２透明体の面取り部分も他の部分よりも戻り光が少ない暗部として領域を識別できる。
【００１５】
このため、良品である透明積層体を略直上から略直下に向けて撮像した場合には両領域が識別でき、不良品である透明積層体を略直上から略直下に向けて撮像した場合には面取り部分と傾斜部分が上下で重なり合うために両領域が上手く識別できないこととなる。この識別を行うことにより透明積層体が不良であるか否かを確実に検査することができる。
【００１６】
また、本発明の透明積層体の検査方法は、
前記識別工程において、
前記第１透明体の面取り部分および第２透明体の傾斜部分の領域が識別された場合、
さらにそれぞれの領域の位置を元にして、前記第１透明体の外周端部から前記第２透明体の外周端部の位置までの距離を算出し、この距離が予め定められた所定の閾値内にあるとき、前記第１透明体の所定位置に第２透明体が配設されていると判断することを特徴とする。
【００１７】
このような検査方法であれば、上記した識別工程に加えてさらに第１透明体に対する第
２透明体の配設位置を確実に検査することができる。
【００１８】
また、本発明の透明積層体の検査方法は、
前記透明積層体を垂直方向から視認した際において、
前記第１透明体の面取り部分の水平方向の距離が、２０μｍ以上であることを特徴とする。
【００１９】
第１透明体の面取り部分がこのような距離を有していれば、撮像工程で撮像した画像において、傾斜部分の領域を確実に識別することができる。このため、透明積層体の検査を確実に行うことができ、不良品があれば確実にそれを見つけることができる。
【００２０】
また、本発明の透明積層体の検査方法は、
前記傾斜部分が、直線状の角面取りであることを特徴とする。
【００２１】
このように面取り部分が直線状であれば、撮像した際に面取り部分とそうでない部分との領域が画像により鮮明に表れるため、検査に最適な面取り部分の形状として特に好ましい。
【００２２】
また、本発明の透明積層体の検査方法は、
前記透明積層体を垂直方向から視認した際において、
前記第２透明体の傾斜部分の水平方向の距離が、２０μｍ以上であることを特徴とする。
【００２３】
第２透明体の傾斜部分がこのような距離を有していれば、撮像工程で撮像した画像において、傾斜部分の領域を確実に識別することができる。このため、透明積層体の検査を確実に行うことができ、不良品があれば確実にそれを見つけることができる。
【００２４】
また、本発明の透明積層体の検査方法は、
前記第２透明体の外周端部に形成された傾斜部分が、前記第２透明体をレーザーでカットして形成された切断面であることを特徴とする。
【００２５】
このように傾斜部分がレーザーによる切断面であれば、傾斜部分の角度も自由に設定可能であり、また切断面の形状もきれいであるため、透明積層体の製造時の使用に好適である。
【００２６】
また、本発明の透明積層体の検査方法は、
前記第１透明体の５５０〜６００ｎｍの波長帯域における分光反射率が、１５％以下であることを特徴とする。
【００２７】
このような分光反射率を有する第１透明体であれば、本出願の検査方法を用いることで、第１透明体と第２透明体の領域を識別可能であり、不良品があれば確実にそれを見つけることができる。
【００２８】
また、本発明の透明積層体の検査方法は、
前記第２透明体の５５０〜６００ｎｍの波長帯域における分光反射率が、１０％以下であることを特徴とする。
【００２９】
このような分光反射率を有する第２透明体であれば、本出願の検査方法を用いることで、第１透明体と第２透明体の領域を識別可能であり、不良品があれば確実にそれを見つけることができる。
【００３０】
また、本発明の透明積層体の検査方法は、
前記第１透明体が透明基板であり、
前記第２透明体が反射防止シートであり、
前記透明積層体が、電子機器の表示窓パネルであって、
前記表示窓パネルは、前記透明基板の一方側面に粘着材を介して前記反射防止シートが貼着されてなることを特徴とする。
【００３１】
このように透明基板の一方面に粘着材を介して反射防止シートが貼着された表示窓パネルであれば、電子機器の表示部分として好適であり、本検査方法を用いることで、不良な表示窓パネルが誤って出荷されてしまうことを確実に防止することができる。
【００３２】
また、本発明の透明積層体は、
上記いずれかに記載の透明積層体の検査方法によって、第１透明体に対する第２透明体の配設位置の検査がなされてなることを特徴とする。
【００３３】
このように本検査方法を用いてなる透明積層体であれば、第１透明体の所定の位置に確実に第２透明体が配設されていることが検査済みであるため、所望のスペックを有する透明積層体として、次工程のユーザーに確実に提供することができる。
【発明の効果】
【００３４】
図４に示す従来の表示窓パネルの形状で、図６のように反射防止シート（第２透明体）が透明基板（第１透明体）の端部でオーバーハングした場合、透明基板（第１透明体）の端面の外周縁部稜線は、撮像で光の拡散による明確な暗領域を作り出すことができず、隣接した平坦部の反射光の明の部分と識別できない状態であった。
【００３５】
したがって外周縁部稜線が存在せず、反射防止シート（第２透明体）の傾斜部分のみ暗部に見える撮像となり、反射防止シート（第２透明体）が透明基板（第１透明体）をオーバーハングしていることを検査できなかった。
【００３６】
本発明によれば、少なくとも第１透明体上に第２透明体を配設した透明積層体において、第１透明体の面取り部分と第２透明体の傾斜部分とを撮像して、各部分の領域を画像上で識別することで、第１透明体の所定の位置に第２透明体が配設されているか否かを高精度に検査することができる。
【図面の簡単な説明】
【００３７】
【図１】図１は、本発明の検査方法において、表示窓パネルの端部を撮像した状況、およびその状況を撮像した画像について説明する概略図である。
【図２】図２は、本発明の検査方法において、オーバーハング箇所を有する表示窓パネルの端部を撮像した状況、およびその状況を撮像した画像について説明する概略図である。
【図３】図３は、本発明の検査方法において、透明基板の面取り部分の形状が図１および図２とは異なる形態となっている表示窓パネルの端部を撮像した状況、およびその撮像画像について説明する概略図である。
【図４】図４は、表示窓パネルの端部を拡大した概略図である。
【図５】図５は、表示窓パネルにおいて反射防止シートのカットについて説明する概略図である。
【図６】図６は、オーバーハング箇所を有する表示窓パネルの端部を拡大した概略図である。
【発明を実施するための形態】
【００３８】
本発明は、第１透明体の一方面に第２透明体を配設してなる透明積層体において、第１透明体の所定の位置に第２透明体が配設されているか否かを検査する検査方法、およびこの検査方法を用いてなる透明積層体である。
【００３９】
以下、本発明の検査方法について、透明積層体の実施形態の一つとして、例えば電子機器の表示部分に用いられる表示窓パネルを例にして説明を行う。
【００４０】
また、本明細書中で「面取り部分」とは、面と面とが交わった部分の角部に加工が施された部分、および板状形態の端部を斜めに切り落とされた部分であり、その形状を限定するものではないものである。
【００４１】
さらに「傾斜部分」とは、直線状の傾斜面をはじめ、曲面カーブをも含んだ意味で用いられており、端部から端部までの高低差があればその形状を限定するものではないものである。
【００４２】
透明積層体の実施形態の一つである図１に示した表示窓パネル１０は、板状形態であり一方面の外周端部に面取り部分２２を有する透明基板２０と、この透明基板２０の一方面上に、板状形態であり外周端部に傾斜部分３２を有する反射防止シート３０が粘着材を介して貼着されてなるものである。
【００４３】
透明基板２０の面取り部分２２は、例えば電子機器の表示部分の表面側に位置するため、電子機器を使用するユーザーが角部分で怪我をしたりしないように予め角を落としてなる部分である。
【００４４】
反射防止シート３０の傾斜部分３２は、透明基板２０から反射防止シート３０が剥がれ難くするためのものである。傾斜部分３２の形成方法としては、背景技術の欄で説明したように、レーザーによる反射防止シート３０のカットの際、レーザーの照射角度によってその傾斜部分３２が形成される。なお、後述するように傾斜部分３２が検査で必要な箇所となるため、切断部分が傾斜されるのであれば、レーザー以外に切断刃を用いるなど特に切断手段は限定されないものである。
【００４５】
このような透明基板２０の材質としては、高透明性を有する合成樹脂を用いることができ、例えばポリカーボネート（ＰＣ）またはポリメチルメタクリレイト（ＰＭＭＡ）またはシクロオレフィンポリマーを用いることが好ましい。
【００４６】
なお、高透明性を有する合成樹脂の選定については、製品として求められるスペックに合わせて適宜選択すれば良いものであるが、株式会社日立ハイテクノロジーズ製の分光光度計Ｕ−３０１０を用いた１ｍｍ厚みの基板測定（波長帯域５５０〜６００ｎｍ）で、分光反射率１５％以下のものであれば、視認性を良好に維持するうえでも好ましい。
【００４７】
一方、反射防止シート３０としては、製品として求められるスペックに合わせて適宜市販品の中から選択して使用することが好ましく、例えば反射防止層（図示せず）とハードコート層（図示せず）と基材層（図示せず）とが積層され、片面に粘着材層を有する日油株式会社製の反射防止シート，日本化薬株式会社製の反射防止シートなどを用いることが好ましく、波長帯域５５０〜６００ｎｍで分光反射率１０％以下のものが視認性を良好に維持するうえで好ましい。
【００４８】
このような表示窓パネル１０は、例えば電子機器の表示部分に用いられ、これにより表示部分を良好に保護しつつ、視認性も良好に維持することができる。
【００４９】
ここで透明基板２０上に貼着された反射防止シート３０は、透明基板２０の外周端部に形成された面取り部分２２よりも内側に、その外周端部に形成された傾斜部分３２の端部が位置するように位置決めされている。
【００５０】
このようにして構成される表示窓パネル１０において、透明基板２０の所定の位置で反射防止シート３０が確実にカットされているか否かの検査は、まず撮像手段（図示せず）で反射防止シート３０側の略直上から略直下に向けて表示窓パネル１０の外周端部を撮像する。
【００５１】
すると、図１の楕円で囲われた画像イメージのように、透明基板２０の面取り部分２２と、反射防止シート３０の傾斜部分（切断面）３２が他の平坦な部分よりも暗く表示されることとなる。これは、表示窓パネル１０の略直上から略直下に向けて光を照射した場合、表示窓パネル１０の平坦部からは正反射光が反射するが、透明基板２０の面取り部分２２および反射防止シート３０の傾斜部分３２では光が拡散されるため、殆ど反射しないことになる。このため、撮像時に表示窓パネル１０に照射された光の反射具合の違いが、画像に明／暗の違いとして現れたものである。
【００５２】
なお、図１に示した表示窓パネル１０は良品であり、このように良品の場合には画像として透明基板２０の面取り部分２２の領域Ａと、反射防止シート３０の傾斜部分３２の領域Ｂの２つの領域が存在することとなる。
【００５３】
これに対して図２に示したように不良品である表示窓パネル１０は、透明基板２０の面取り部分２２上に反射防止シート３０の傾斜部分３２が位置し、反射防止シート３０がオーバーハング箇所３４を有するため、この不良品である表示窓パネル１０を撮像した画像は、反射防止シート３０の傾斜部分３２が透明基板２０の面取り部分２２上に重なり合ってしまい、図１のように透明基板２０の面取り部分２２の領域Ａと、反射防止シート３０の傾斜部分３２の領域Ｂの２つの領域が確認できず、２つが合体した１つの領域Ｃが確認されるだけである。
【００５４】
したがって、このように表示窓パネル１０の略直上から略直下に向けて撮像した画像を用いて行われる表示窓パネル１０の検査では、透明基板２０の面取り部分２２の領域Ａと反射防止シート３０の傾斜部分３２の領域Ｂの２つの領域が確認された場合には、明らかに透明基板２０の面取り部分２２の内側に反射防止シート３０の傾斜部分３２の端部が位置しており良品であると判断でき、透明基板２０の面取り部分２２の領域Ａと反射防止シート３０の傾斜部分３２の領域Ｂの２つの領域が確認されない場合には、透明基板２０の面取り部分２２上に反射防止シート３０の傾斜部分３２の端部が位置しており不良品であると判断することができる。
【００５５】
なお、透明基板２０の面取り部分２２の領域Ａと反射防止シート３０の傾斜部分３２の領域Ｂの２つの領域が確認された場合には、透明基板２０の面取り部分２２端部から反射防止シート３０の傾斜部分３２の端部までの距離Ｌが、予め設定された閾値内であるか否かを、画像中の面取り部分２２の領域Ａの端部の位置と、傾斜部分３２の領域Ｂの端部の位置を元にして求めることで、寸法範囲内に表示窓パネル１０ができているか否かを確認することができ、これによりこの寸法範囲内に入らなかった表示窓パネル１０について最終的な不良品と判断することができる。
【００５６】
ここで透明基板２０の面取り部分２２の水平方向の幅Ｔ１、および反射防止シート３０の傾斜部分３２の水平方向の幅Ｔ２としては、それぞれ２０μｍ以上であることが好ましい。この数値よりも小さい場合には、撮像した画像において、透明基板２０の面取り部分
２２および反射防止シート３０の傾斜部分３２のそれぞれの領域Ａ，Ｂを識別するために非常に高価で高精度な撮像機と照明を使い、且つ時間の掛かる検査が必要となり、コストパフォーマンスが悪い。このため、この幅は、上記したような幅を持っていることが好ましい。
【００５７】
また反射率が低い透明基板２０および更に反射率が低い反射防止シート３０の検査のため、画像検査に用いる照明には平行光を用いて画像の明暗差を出すことが好ましい。
【００５８】
さらに透明基板２０の面取り部分２２は、直線状の傾斜面であることが好ましく、図１に示したような形態や図３に示したような形態であれば、面取り部分２２の領域Ａが画像に明／暗の違いとして明確に現れる。
【００５９】
しかしながら、面取り部分２２の形態としては、これに限定されるものではなく、球状としたり凹部とするなど、要は表示窓パネル１０を略直上から略直下に向けて撮像した際に、透明基板２０の面取り部分２２が画像に明／暗の違いとして現れるか否かが重要であるため、光を拡散させて反射率が平坦部分と異なるようにしさえすれば、如何なる形態でも良いものである。
【００６０】
以上、本発明の検査方法の好ましい実施の態様について、図１〜図３に示した形態の表示窓パネルを用いて説明したが、本発明はこのような形態の表示パネルに限定されるものではなく、例えば背景技術の欄に記載したように、透明基板（第１透明体）の一方面と他方面にそれぞれ異なる光学特性を有する反射防止シート（第２透明体）を貼着した表示窓パネル（透明積層体）、また透明基板（第１透明体）の成形時に、透明基板（第１透明体）の一方面に反射防止効果を有するモスアイ構造のパターンを形成しておき、透明基板（第１透明体）の他方面にのみ、反射防止シート（第２透明体）を貼着した表示窓パネル（透明積層体）の検査にも適用可能な汎用性の高い検査方法であり、表示窓パネル（透明積層体）の形態に合わせて変更や追加が可能であることは当然のことである。
【符号の説明】
【００６１】
１０・・・表示窓パネル
２０・・・透明基板
２２・・・面取り部分
３０・・・反射防止シート
３２・・・傾斜部分
３４・・・オーバーハング箇所
Ａ・・・透明基板の面取り部分の領域
Ｂ・・・反射防止シートの傾斜部分の領域
Ｃ・・・合体した１つの領域
Ｔ１・・透明基板の面取り部分の水平方向の幅
Ｔ２・・反射防止シートの傾斜部分の水平方向の幅
Ｌ・・・透明基板の面取り部分の端部から反射防止シートの傾斜部分の端部までの距離
１００・・・表示窓パネル
１１０・・・透明基板
１１２・・・外周縁部稜線
１２０・・・反射防止シート
１２２・・・傾斜部分（切断面）
１２４・・・オーバーハング箇所
１３０・・・レーザー
【図１】
2011237223.tif 000003
【図２】
2011237223.tif 000004
【図３】
2011237223.tif 000005
【図４】
2011237223.tif 000006
【図５】
2011237223.tif 000007
【図６】
2011237223.tif 000008